(57)【要約】【課題】記録媒体の印刷状況をパソコン上で確認すること。また、その場合、使用者が原稿を給紙トレイにセットすることなくその画像情報を得ること。【解決手段】プリンタ部１０とスキャナ部２０を有し、プリンタ部１０により画像形成された記録媒体Ｐ１をスキャナ部２０の原稿読取手段８に搬送して、読取画像をパソコン３に送る。また、プリンタ部１０の記録媒体排出手段３９と、スキャナ部２０の原稿排出手段２９を設け、画像形成された記録媒体Ｐ１を原稿読取手段８と記録媒体排出手段３９に切替える第１切替手段３１と、原稿Ｐ２を原稿読取手段８と記録媒体排出手段３９に切替える第２切替手段を設ける。【選択図】    図１
2010243616.tif 000002
【特許請求の範囲】
【請求項１】
原稿を搬送する原稿搬送路と、
前記原稿搬送路内に設けられて前記原稿を読取る原稿読取手段と、
前記原稿読取手段によって読取った前記原稿を排出する排出手段と、
記録媒体を搬送する記録媒体搬送路と、
前記記録媒体搬送路内に設けられて前記記録媒体に画像を形成する画像形成手段とを有し、
更に、前記記録媒体搬送路は、前記画像形成手段により画像を形成された前記記録媒体を前記原稿搬送路に搬送するように前記原稿搬送路に接続されていることを特徴とする画像形成装置。
【請求項２】
前記画像形成手段により画像を形成された前記記録媒体は、前記原稿読取手段を通り、前記排出手段へ排出されることを特徴とする請求項１記載の画像形成装置。
【請求項３】
原稿を搬送する原稿搬送路と、
前記原稿搬送路内に設けられて前記原稿を読取る原稿読取手段と、
前記原稿読取手段によって読取った前記原稿を排出する原稿排出手段と、
記録媒体を搬送する記録媒体搬送路と、
前記記録媒体搬送路内に設けられて前記記録媒体に画像を形成する画像形成手段と、
前記画像形成手段によって画像を形成された前記記録媒体を排出する記録媒体排出手段とを有し、
更に、前記原稿搬送路内を搬送される前記原稿及び前記画像形成されて前記記録媒体搬送路内を搬送される前記記録媒体を、前記原稿読取手段又は前記記録媒体排出手段に向けて切替える切替手段を設けたことを特徴とする画像形成装置。
【請求項４】
前記原稿搬送路内を搬送される前記原稿を切替える切替手段は、前記原稿搬送路内に設けられたことを特徴とする請求項３記載の画像形成装置。
【請求項５】
前記画像形成されて前記記録媒体搬送路内を搬送される前記記録媒体を切替える切替手段は、前記記録媒体搬送路内に設けられたことを特徴とする請求項３記載の画像形成装置。
【請求項６】
前記原稿搬送路内を搬送される前記原稿を前記原稿読取手段を通過することなく排出する搬送路を有することを特徴とする請求項３記載の画像形成装置。
【請求項７】
請求項３記載の画像形成装置において、更に、前記原稿を複数搭載して前記原稿搬送路へ搬送する原稿搭載手段と、
前記複数の原稿に対し新たな原稿の有無を判断し、前記複数の原稿の中から廃棄する原稿があるときは前記記録媒体排出手段へ排出し、新たな原稿は前記画像形成手段にて画像形成を行なうように制御する制御手段を有することを特徴とする請求項３記載の画像形成装置。
【請求項８】
前記制御部は、前記差替えのない原稿及び前記画像形成手段にて画像形成を行なった新たな原稿を前記原稿読取手段にて読取るように制御することを特徴とする請求項７記載の画像形成装置。
【請求項９】
複数頁の原稿の中から新たな頁の必要性を判断する判断工程と、
複数頁の原稿を１枚毎に搬送する原稿搬送工程と、
前記判断工程による判断の結果、廃棄する頁がある場合、前記原稿搬送工程によって搬送する原稿頁を廃棄用トレイに搬送する廃棄工程と、
前記判断工程による判断の結果、新たな頁がある場合、画像形成手段により新たな記録媒体に画像を形成する画像形成工程と、
前記画像形成工程により画像形成された記録媒体の画像を画像読取手段によって読取る画像読取工程を含むことを特徴とする画像形成装置の印刷物編集方法。
【請求項１０】
前記判断工程は、上位装置からの指示に基づいて行なうことを特徴とする請求項９記載の画像形成装置の印刷物編集方法。
【請求項１１】
前記画像読取工程は、前記判断工程による判断の結果、廃棄する頁でない場合、前記画像読取手段によって当該頁の画像を読取る読取工程を含むことを特徴とする請求項９記載の画像形成装置の印刷物編集方法。
【発明の詳細な説明】
【技術分野】
【０００１】
本発明は、原稿読取手段を有する画像形成装置に関するものである。
【背景技術】
【０００２】
従来、複写機等の画像形成装置においては、複数の原稿を自動的に原稿読取手段に搬送し、原稿読取を行なう自動原稿読取装置を設けたものが広く存在している。前記自動原稿読取装置は画像形成を行なうための複数の原稿を搭載する給紙トレイと、読取った原稿を排出する排出トレイと、原稿を１枚毎に搬送する搬送機構を有する。このような自動原稿読取装置を開示する特許文献としては、特開２００８−１３３１０３号公報がある。
【先行技術文献】
【特許文献】
【０００３】
【特許文献１】特開２００８‐１３３１０３号公報
【発明の概要】
【発明が解決しようとする課題】
【０００４】
しかしながら従来の自動原稿読取装置を設けた画像形成装置においては、画像形成後の排紙トレイ上の記録媒体の印刷状況を確認しようとする場合、使用者が画像形成装置のところまで行かなければならなかった。また、画像形成後の記録媒体の画像情報をパソコンで利用しようとする場合、使用者が記録媒体（原稿）を給紙トレイにセットする必要があった。そのため、パソコンを利用して印刷済み原稿の編集（挿入、差替）を行なおうとする場合には、使用者が頻繁に画像形成装置のところまで行かなければならず、煩雑であるという問題があった。
【０００５】
本発明が解決しようとする課題は、画像形成後の排紙トレイ上の記録媒体の印刷状況を確認する場合、使用者がパソコン上で確認することができる画像形成装置を提供することにある。また、画像形成後の記録媒体について、その画像情報をパソコンで利用しようとする場合、使用者が記録媒体（原稿）を給紙トレイにセットすることなくその画像情報を得ることができる画像形成装置を提供することにある。更に、印刷済み原稿の編集（挿入、差替）を自動的に行なうことができる画像形成装置を提供することにある。
【課題を解決するための手段】
【０００６】
上記課題を解決するために請求項１記載の本発明は、原稿を搬送する原稿搬送路と、前記原稿搬送路内に設けられて前記原稿を読取る原稿読取手段と、前記原稿読取手段によって読取った前記原稿を排出する排出手段と、記録媒体を搬送する記録媒体搬送路と、前記記録媒体搬送路内に設けられて前記記録媒体に画像を形成する画像形成手段とを有し、更に、前記記録媒体搬送路は、前記画像形成手段により画像を形成された前記記録媒体を前記原稿搬送路に搬送するように前記原稿搬送路に接続されていることを特徴とする画像形成装置である。
【０００７】
更に、請求項３記載の本発明は、原稿を搬送する原稿搬送路と、前記原稿搬送路内に設けられて前記原稿を読取る原稿読取手段と、前記原稿読取手段によって読取った前記原稿を排出する原稿排出手段と、記録媒体を搬送する記録媒体搬送路と、前記記録媒体搬送路内に設けられて前記記録媒体に画像を形成する画像形成手段と、前記画像形成手段によって画像を形成された前記記録媒体を排出する記録媒体排出手段とを有し、更に、前記原稿搬送路内を搬送される前記原稿及び前記画像形成されて前記記録媒体搬送路内を搬送される前記記録媒体を、前記原稿読取手段又は前記記録媒体排出手段に向けて切替える切替手段を設けたことを特徴とする画像形成装置である。
【発明の効果】
【０００８】
本発明によれば、画像形成後の排紙トレイ上の記録媒体の印刷状況を確認しようとする場合、使用者がパソコン上で確認することができる画像形成装置を提供することができる。また、画像形成後の記録媒体について、その画像情報をパソコンで利用しようとする場合、使用者が記録媒体（原稿）を給紙トレイにセットすることなくその画像情報を得ることができる画像形成装置を提供することができる。更に、印刷済み原稿の編集（挿入、差替）を自動的に行なうことができる画像形成装置を提供することができる。
【図面の簡単な説明】
【０００９】
【図１】図１は第１の実施の形態に関するＭＦＰの構成図である。
【図２】図２は第１の実施の形態に関するＭＦＰの外観図である。
【図３】図３は第１の実施の形態に関するＭＦＰのブロック図である。
【図４】図４は第１の実施の形態に関するＭＦＰの制御を示すブロック図である。
【図５】図５は第２の実施の形態に関するＭＦＰの構成図である。
【図６】図６は第２の実施の形態に関するＭＦＰの制御を示すブロック図である。
【図７】図７は第２の実施の形態に関するＭＦＰの印刷物編集動作を示すフローチャートである。
【発明を実施するための形態】
【００１０】
＜第１の実施の形態＞
本発明を実施するための形態を図面に従って説明する。図２は第１の実施の形態に関する画像処理装置（以下ＭＦＰ（Multi-Function Product）という）の外観図である。１０は画像形成を行なうプリンタ部であり、下部に給紙カセット１２を有する。２０は画像読取を行なうスキャナ部であり、プリンタ部１０の上部に設けられる。スキャナ部２０は原稿自動送り装置としてのＡＤＦ（Auto Document Feeder）２１と、読取り手段としてのフラットベッドスキャナ２２とを組み合わせてなる。２３は給紙トレイであり、２９はスキャナ側排出トレイである。
【００１１】
図１は第１の実施の形態に関するＭＦＰ１の構成図である。プリンタ部１０において、給紙カセット１２はプリンタ部１０に供給する記録媒体Ｐ１を格納する。プリンタ側給紙ローラ１３は給紙カセット１２から媒体を１枚毎にプリンタ部１０の画像形成ユニット６へ給紙する。プリンタ側搬送ローラ１４及び１５は、給紙カセット１２から給紙された記録媒体Ｐ１をプリンタ側搬送路１７に沿って画像形成ユニット６に搬送する。画像形成ユニット６は記録媒体Ｐ１に画像を形成するイメージドラム６−１と転写ローラ６−２等から構成される。定着ユニット７はヒータ７−１と加圧ローラ７−２から構成され、前記画像形成ユニット６で形成された画像を記録媒体Ｐ１に定着させる。プリンタ側排出ローラ１８及び１９は、定着ユニット７で画像が定着された記録媒体Ｐ１をプリンタ側搬送路１７を通して、画像読取部８及びスキャナ側排出トレイ２９方向へ搬送する。ここでプリンタ側搬送路１７とは、プリンタ側給紙ローラ１３からプリンタ側搬送ローラ１４及び１５、プリンタ側排出ローラ１８及び１９へと搬送される記録媒体Ｐ１をガイドするガイド部材としての記録媒体搬送路のことをいう。
【００１２】
スキャナ部２０において、給紙トレイ２３には原稿Ｐ２を搭載する。スキャナ側給紙ローラ２４は給紙トレイ２３に搭載された原稿Ｐ２を１枚毎に画像読取部８へ給紙する。スキャナ側搬送ローラ２５は前記スキャナ側給紙ローラ２４から給紙された原稿Ｐ２をスキャナ側搬送路２７に沿って搬送する。ここでスキャナ側搬送路２７とは、スキャナ側給紙ローラ２４からスキャナ側搬送ローラ２５、２６及びスキャナ側排出ローラ２８へと搬送される原稿Ｐ２をガイドするガイド部材としての原稿搬送路のことをいう。前記プリンタ側搬送路１７はスキャナ側搬送路２７と接続されている。よって、スキャナ側搬送路２７内のスキャナ側搬送ローラ２６は、前記スキャナ側搬送路２７を搬送されてきた原稿Ｐ２又は前記プリンタ側搬送路１７から搬送された記録媒体Ｐ１を画像読取部８に搬送する。
【００１３】
画像読取部８は、スキャナ側搬送ローラ２６とスキャナ側排出ローラ２８の間のスキャナ側搬送路２７上に設けられ、搬送される記録媒体Ｐ１又は原稿Ｐ２の画像を読取る。読取った画像情報は後述するように通信部２又は前記プリンタ部１０へ転送される。前記スキャナ側排出ローラ２８は画像読取部８を通過した記録媒体Ｐ１又は原稿Ｐ２をスキャナ側排出トレイ２９に排出する。
【００１４】
図３は第１の実施の形態に関するＭＦＰ１のブロック図である。通信部２はプリンタ部１０とスキャナ部２０及びホストＰＣ３に接続されている。通信部２はホストＰＣ３から受信した画像形成情報をプリンタ部１０に転送すると、プリンタ部１０は前記画像形成情報に基づいて画像形成を行なう。また、スキャナ部２０で読取った画像情報をホストＰＣ３に転送する。ホストＰＣ３では受取った画像情報を表示画面５１に表示して確認することができる。また、スキャナ部２０とプリンタ部１０は接続されており、スキャナ部２０で読取った画像情報をプリンタ部１０に転送すると、プリンタ部１０は画像情報に基づいて画像形成を行なう。
【００１５】
図４は第１の実施の形態に関するＭＦＰ１の制御を示すブロック図である。プリンタ制御部４１はプリンタ側ローラ制御部４３、画像形成制御部４４、定着制御部４５を制御する。プリンタ側ローラ制御部４３は記録媒体Ｐ１の搬送のためにプリンタ側給紙ローラ１３、プリンタ側搬送ローラ１４及び１５、プリンタ側排出ローラ１８及び１９を駆動する。画像形成制御部４４は画像形成ユニット６における各種の画像形成工程を制御する。定着制御部４５は、定着ユニット７のヒータ７−１と加圧ローラ７−２を制御する。
【００１６】
一方、スキャナ制御部４２はスキャナ側ローラ制御部４６、画像読取制御部４７を制御する。スキャナ側ローラ制御部４６は原稿Ｐ２を搬送するためにスキャナ側給紙ローラ２４、スキャナ側搬送ローラ２５及び２６、スキャナ側排出ローラ２８を駆動する。画像読取制御部４７は原稿Ｐ２の画像情報を読取るために画像読取部８を制御する。前記プリンタ制御部４１とスキャナ制御部４２とは接続されており、相互に制御情報を送受信する。
【００１７】
次に、第１の実施の形態に関するＭＦＰ１の動作について説明する。（１）まず、プリント時の動作について説明する。通信部２がホストＰＣ３から画像形成情報を受信すると、プリンタ部１０に画像形成情報を転送する。プリンタ部１０のプリンタ制御部４１は、プリンタ側ローラ制御部４３を制御し、給紙カセット１２にセットされた記録媒体Ｐ１をプリンタ側給紙ローラ１３によって給紙カセット１２から繰出し、プリンタ側搬送ローラ１４及び１５によりプリンタ側搬送路１７に沿って画像形成ユニット６に搬送する。画像形成ユニット６では前記画像形成制御部４４の制御により、前記画像形成情報からイメージドラム６−１と転写ローラ６−２等によって記録媒体Ｐ１にトナー像の転写が行なわれる。トナー像を転写された記録媒体Ｐ１は、定着ユニット７に搬送され、定着制御部４５の制御により、媒体上のトナー像を記録媒体Ｐ１上に定着させる。その後、プリンタ制御部４１はプリンタ側ローラ制御部４３の制御により、記録媒体Ｐ１をプリンタ側排出ローラ１８及び１９によりプリンタ側搬送路１７に沿って搬送する。
【００１８】
更に、スキャナ制御部４２はスキャナ側ローラ制御部４６の制御により、スキャナ側搬送ローラ２６を駆動する。プリンタ側搬送路１７に沿って搬送されてきた記録紙Ｐ１はスキャナ側搬送路２７と合流し、スキャナ側搬送ローラ２６の駆動によって、スキャナ側搬送路２７に沿って搬送される。そして、画像読取部８を通過した後に、スキャナ側排出ローラ２８により前記スキャナ側排出トレイ２９に排出して、プリント動作は完了する。
【００１９】
（２）次に、スキャン時の動作について説明する。スキャナ制御部４２はスキャナ側ローラ制御部４６を制御して、前記給紙トレイ２３にセットされた原稿Ｐ２をスキャナ側給紙ローラ２４によって給紙トレイ２３から繰出す。そして、スキャナ側搬送ローラ２６によりスキャナ側搬送路２７を画像読取部８へ向けて搬送する。スキャナ制御部４２は画像読取制御部４７を制御し、画像読取部８により原稿Ｐ２の画像を読取り、画像情報を作成する。画像読取後の前記原稿Ｐ２をスキャナ側排出ローラ２８によってスキャナ側排出トレイ２９に排出する。スキャナ制御部４２は読取った画像情報を通信部２を介して、ホストＰＣ３に転送する。
【００２０】
（３）次に、コピー時の動作について説明する。スキャン時の動作と同様に、スキャナ制御部４２はスキャナ側ローラ制御部４６を制御して、前記給紙トレイ２３にセットされた原稿Ｐ２をスキャナ側給紙ローラ２４によって給紙トレイ２３から繰出す。そして、スキャナ側搬送ローラ２６によりスキャナ側搬送路２７を画像読取部８に向けて搬送する。スキャナ制御部４２は画像読取制御部４７を制御し、画像読取部８により原稿Ｐ２の画像を読取り、画像情報を作成する。画像読取後の前記原稿Ｐ２をスキャナ側排出ローラ２８によってスキャナ側排出トレイ２９に排出する。スキャナ制御部４２は読取った画像情報を、プリンタ制御部４１に転送する。
【００２１】
その後、プリンタ制御部４１は、前記プリント時の動作と同様にプリント動作を開始する。即ち、プリンタ制御部４１は、プリンタ側ローラ制御部４３を制御し、記録媒体Ｐ１をプリンタ側給紙ローラ１３によって給紙カセット１２から繰出し、プリンタ側搬送ローラ１４及び１５によりプリンタ側搬送路１７を画像形成ユニット６に向けて搬送する。画像形成ユニット６では前記画像形成制御部４４の制御により、転送された画像情報をもとに記録媒体Ｐ１にトナー像を形成し、当該記録媒体Ｐ１を定着ユニット７に搬送する。定着制御部４５の制御により、定着ユニット７は媒体上のトナー像を記録媒体Ｐ１上に定着させる。その後、プリンタ制御部４１は記録媒体Ｐ１をプリンタ側排出ローラ１８及び１９によりプリンタ側搬送路１７に沿って搬送する。更に、スキャナ制御部４２はスキャナ側ローラ制御部４６の制御により、スキャナ側搬送ローラ２６を駆動し記録媒体Ｐ１を搬送する。そして、画像読取部８を通過した後に、スキャナ側排出ローラ２８により前記スキャナ側排出トレイ２９に排出して、コピー動作は完了する。
【００２２】
（４）次に、プリント時の印刷物確認の動作について説明する。通信部２がホストＰＣ３から、印刷後確認を行なう旨の指示が含まれた画像形成情報を受信すると、プリンタ部１０に前記画像形成情報を転送する。プリンタ部１０は、前記プリント時の動作と同様にプリント動作を開始する。
【００２３】
即ち、プリンタ制御部４１は、プリンタ側ローラ制御部４３を制御し、記録媒体Ｐ１をプリンタ側給紙ローラ１３によって給紙カセット１２から繰出し、プリンタ側搬送ローラ１４及び１５によりプリンタ側搬送路１７を画像形成ユニット６に向けて搬送する。画像形成ユニット６では前記画像形成制御部４４の制御により、転送された画像情報をもとに記録媒体Ｐ１にトナー像を形成し、当該記録媒体Ｐ１を定着ユニット７に搬送する。定着制御部４５の制御により、定着ユニット７は媒体上のトナー像を記録媒体Ｐ１上に定着させる。その後、プリンタ制御部４１は記録媒体Ｐ１をプリンタ側排出ローラ１８及び１９によりプリンタ側搬送路１７に沿って搬送する。
【００２４】
プリンタ制御部４１は、前記画像形成情報のうち印刷後確認を行なう旨の指示をスキャナ制御部４２に転送する。そして、スキャナ制御部４２は、スキャナ側ローラ制御部４６を制御してスキャナ側搬送ローラ２６を駆動し、記録媒体Ｐ１をスキャナ側搬送路２７内を画像読取部８に向けて搬送する。そして、スキャナ制御部４２は、画像読取制御部４７を制御して、画像読取部８により記録媒体Ｐ１に記録された印刷結果を読み取る。スキャナ制御部４２は、読取った画像情報を通信部２を介してホストＰＣ３に転送する。ホストＰＣ３は表示画面５１上に、読取った画像情報を表示する。
【００２５】
以上、第１の実施の形態によると、前記プリンタ側搬送路１７はスキャナ側搬送路２７と接続する構成とし、プリント時の印刷物確認の動作に示したように、画像読取部８により画像形成後の記録媒体の画像情報を読取る構成にしたことにより、人手で記録媒体（原稿）をスキャナ部２にセットすることなく、画像形成後の記録媒体を読取り確認することができるため、使用者の煩わしさが解消される。また、試し印刷時にプリンタの前まで行かずに印刷後の内容をチェックすることが可能になる。更に、画像形成後の記録媒体を直接読取って画像情報化してパソコン等で利用することが可能となる。更に、色ずれ検出用のパターンを印刷して読取り、ホストＰＣ３の表示画面５１上に表示することにより、プリンタの色補正の検査に利用することも可能である。
【００２６】
＜第２の実施の形態＞
次に、第２の実施の形態について説明する。前記第１の実施の形態と同一構成要素は同一の符号にて示す。図５は第２の実施の形態に関するＭＦＰ１の構成図である。プリンタ部１０において、給紙カセット１２はプリンタ部１０に供給する記録媒体Ｐ１を格納する。プリンタ側給紙ローラ１３は給紙カセット１２から媒体を１枚毎にプリンタ部１０の画像形成ユニット６へ給紙する。プリンタ側搬送ローラ１４及び１５は、給紙カセット１２から給紙された記録媒体Ｐ１をプリンタ側搬送路１７を通して画像形成ユニット６に送込む。画像形成ユニット６は記録媒体Ｐ１に画像を形成するイメージドラム６−１と転写ローラ６−２等から構成される。定着ユニット７はヒータ７−１と加圧ローラ７−２から構成され、前記画像形成ユニット６で形成された画像を記録媒体Ｐ１に定着させる。定着ユニット７はヒータ７−１と加圧ローラ７−２から構成され、前記画像形成ユニット６で形成された画像を記録媒体Ｐ１に定着させる。プリンタ側排出ローラ１８及び１９は定着ユニット７で定着した記録媒体Ｐ１をプリンタ側搬送路１７に沿って搬送する。
【００２７】
前記記録媒体Ｐ１が搬送されるプリンタ側搬送路１７にはプリンタ側搬送路１７ａが延設されており、当該プリンタ側搬送路１７ａには搬送経路の分岐を切替えるための第１切替器３１が配設されている。前記第１切替器３１を記録媒体Ｐ１がプリンタ側排出ローラ３８の配設されたプリンタ側搬送路１７ａに沿って搬送されるように切替えた場合、プリンタ側排出ローラ３８は記録媒体Ｐ１をプリンタ側搬送路１７ａに沿ってプリンタ側排出トレイ３９に排出するように搬送する。前記第１切替器３１を記録媒体Ｐ１がスキャナ側排出ローラ３７の配設されたスキャナ側搬送路２７ａに沿って搬送されるように切替えた場合、スキャナ側排出ローラ３７は記録媒体Ｐ１をスキャナ側搬送路２７ａに沿って搬送する。スキャナ側搬送路２７ａとスキャナ側搬送路２７とは記録媒体Ｐ１の搬送方向に対してスキャナ側搬送ローラ２６の上流側で合流する。
【００２８】
一方、スキャナ部２０において、前記給紙トレイ２３には原稿Ｐ２又は編集用原稿Ｐ３を搭載する。スキャナ側給紙ローラ２４は給紙トレイ２３に搭載された原稿Ｐ２又は編集用原稿Ｐ３を１枚毎に画像読取部８へ給紙する。スキャナ側搬送ローラ２５は前記スキャナ側給紙ローラ２４から給紙された原稿Ｐ２又は編集用原稿Ｐ３をスキャナ側搬送路２７に沿って搬送する。スキャナ側搬送ローラ２６は、前記スキャナ側搬送ローラ２５から搬送されてきた原稿Ｐ２又は編集用原稿Ｐ３或いは前記プリンタ側排出ローラ１９から搬送され、第１切替器３１によって前記スキャナ側搬送路２７ａに沿ってスキャナ側排出ローラ３７によって搬送された記録媒体Ｐ１を画像読取部８に搬送する。
【００２９】
第１の実施の形態と同様に、画像読取部８は、スキャナ側搬送ローラ２６とスキャナ側排出ローラ２８の間のスキャナ側搬送路２７上に設けられ、搬送される記録媒体Ｐ１、原稿Ｐ２又は編集用原稿Ｐ３の画像を読取る。読取った画像情報は通信部２又は前記プリンタ部１０へ転送される。前記スキャナ側排出ローラ２８は画像読取部８を通過した記録媒体Ｐ１、原稿Ｐ２又は編集用原稿Ｐ３をスキャナ側排出トレイ２９に排出する。
【００３０】
第２切替器３２は、スキャナ側搬送ローラ２５とスキャナ側搬送ローラ２６の間のスキャナ側搬送路２７上に設けられた切替器である。第２切替器３２は、スキャナ側搬送ローラ２５から搬送されてきた原稿Ｐ２又は編集用原稿Ｐ３を、画像読取部８又はスキャナ側排出ローラ３６が配設されたスキャナ側搬送路２７ｂへの搬送を切替える。前記スキャナ側搬送路２７ｂは前記プリンタ側搬送路１７ａと合流しており、当該スキャナ側搬送路２７ｂに沿って搬送される編集用原稿Ｐ３を第１切替器３１の切替えによってプリンタ側排出ローラ３８に搬送され、プリンタ側排出トレイ３９に排出される。
【００３１】
図６は第２の実施の形態に関するＭＦＰ１の制御を示すブロック図である。プリンタ制御部４１はプリンタ側ローラ制御部４３、画像形成制御部４４、定着制御部４５及び第１切替器制御部４８−１を制御する。プリンタ側ローラ制御部４３は記録媒体Ｐ１の搬送のためにプリンタ側給紙ローラ１３、プリンタ側搬送ローラ１４及び１５、プリンタ側排出ローラ１８及び１９を駆動する。画像形成制御部４４は画像形成ユニット６における各種の画像形成工程を制御する。定着制御部４５は、定着ユニット７のヒータ７−１と加圧ローラ７−２を制御する。第１切替器制御部４８−１は第１切替器３１を切替え駆動する。
【００３２】
一方、スキャナ制御部４２はスキャナ側ローラ制御部４６、画像読取制御部４７及び第２切替器制御部４８−２を制御する。スキャナ側ローラ制御部４６は原稿Ｐ２又は編集用原稿Ｐ３を搬送するために、スキャナ側給紙ローラ２４、スキャナ側搬送ローラ２５及び２６、スキャナ側排出ローラ２８、スキャナ側排出ローラ３６及び３７を駆動する。画像読取制御部４７は原稿Ｐ２の画像情報を読取るために画像読取部８を制御する。第２切替器制御部４８−２は第２切替器３２を切替え駆動する。なお、前記プリンタ制御部４１とスキャナ制御部４２とは接続されており、相互に制御情報を送受信する。
【００３３】
次に、第２の実施の形態における動作について説明する。（１）まず、プリント時の動作について説明する。ホストＰＣ３は、印刷後の記録媒体Ｐ１をスキャナ側排出トレイ２９又はプリンタ側排出トレイ３９のいずれに排出するかを指定する情報を含んだ画像形成情報をＭＦＰ１０１に送信する。
【００３４】
通信部２がこれを受信すると、プリンタ部１０に画像形成情報を転送する。プリンタ部１０のプリンタ制御部４１はプリンタ側ローラ制御部４３を制御し、給紙カセット１２にセットされた記録媒体Ｐ１をプリンタ側給紙ローラ１３によって給紙カセット１２から繰出し、プリンタ側搬送ローラ１４及び１５によって画像形成ユニット６に搬送する。画像形成ユニット６では前記画像形成制御部４４の制御により、前記画像形成情報からイメージドラム６−１と転写ローラ６−２等によって記録媒体Ｐ１にトナー像の転写が行なわれる。トナー像を転写された記録媒体Ｐ１は、定着ユニット７に搬送され、定着制御部４５の制御により、媒体上のトナー像を記録媒体Ｐ１上に定着させる。その後、プリンタ制御部４１は記録媒体Ｐ１をプリンタ側排出ローラ１８及び１９によってプリンタ側搬送路１７を搬送する。プリンタ制御部４１は、記録媒体Ｐ１をプリンタ側排出トレイ３９に排出するとき、第１切替器制御部４８−１を制御して、第１切替器３１をプリンタ側排出ローラ３８に記録媒体Ｐ１が排出されるように切替える。これによってプリンタ制御部４１は、プリンタ側ローラ制御部４３を介してプリンタ側排出ローラ３８を駆動し、記録媒体Ｐ１をプリンタ側排出トレイ３９に排出する。
【００３５】
一方、記録媒体Ｐ１をスキャナ側排出トレイ２９に排出するとき、プリンタ制御部４１はスキャナ制御部４２に、スキャナ側排出トレイ２９に記録媒体Ｐ１を排出する旨の情報を転送する。そして、プリンタ制御部４１は第１切替器制御部４８−１を制御し、第１切替器３１をスキャナ側排出ローラ３７に記録媒体Ｐ１が搬送されるように切替える。スキャナ制御部４２は、スキャナ側ローラ制御部４６を制御し。スキャナ側排出ローラ３７、スキャナ側搬送ローラ２６、スキャナ側排出ローラ２８を駆動し、記録媒体Ｐ１をスキャナ側排出トレイ２９に排出する。
【００３６】
（２）次に、スキャン時の動作について説明する。まず、スキャナ制御部４２は第２切替器制御部４８−２を制御し、給紙トレイ２３から搬送される原稿Ｐ２が画像読取部８に送られるように第２切替器３２を切替える。その後、スキャナ制御部４２はスキャナ側ローラ制御部４６を制御して、前記給紙トレイ２３にセットされた原稿Ｐ２をスキャナ側給紙ローラ２４によって給紙トレイ２３から繰出す。そして、スキャナ側搬送ローラ２６によりスキャナ側搬送路２７に沿って画像読取部８へ搬送する。スキャナ制御部４２は画像読取制御部４７を制御し、画像読取部８により原稿Ｐ２の画像を読取り、画像情報を作成する。その後、スキャナ制御部４２は画像読取後の前記原稿Ｐ２をスキャナ側排出ローラ２８によってスキャナ側排出トレイ２９に排出する。スキャナ制御部４２は読取った画像情報を、通信部２を介して、ホストＰＣ３に転送する。
【００３７】
（３）次に、コピー時の動作について説明する。まず、スキャン時の動作と同様に、スキャナ制御部４２は第２切替器制御部４８−２を制御して、原稿Ｐ２が画像読取部８に搬送されるように前記第２切替器３２を切替える。また、プリンタ制御部４１は、前記第１切替器制御部４８−１を制御して、画像形成された記録媒体Ｐ１がプリンタ側排出トレイ３９に排出されるように前記第１切替器３１を切替える。
【００３８】
次にスキャン時の動作と同様に、スキャナ制御部４２はスキャナ側ローラ制御部４６を制御して、前記給紙トレイ２３にセットされた原稿Ｐ２をスキャナ側給紙ローラ２４によって給紙トレイ２３から繰出す。そして、スキャナ側搬送ローラ２６により原稿Ｐ２を、スキャナ側搬送路２７内を画像読取部８に向けて搬送する。スキャナ制御部４２は画像読取制御部４７を制御し、画像読取部８により原稿Ｐ２の画像を読取り、画像情報を作成する。そして、画像読取後の前記原稿Ｐ２をスキャナ側排出ローラ２８によってスキャナ側排出トレイ２９に排出する。スキャナ制御部４２は読取った画像情報をプリンタ部２０のプリンタ制御部４１に転送する。
【００３９】
読取った画像情報をプリンタ部２０が受信するとプリンタ制御部４１は、前記プリント時の動作と同様にプリント動作を開始する。即ち、プリンタ制御部４１は、プリンタ側ローラ制御部４３を制御し、記録媒体Ｐ１をプリンタ側給紙ローラ１３によって給紙カセット１２から繰出し、プリンタ側搬送ローラ１４及び１５により画像形成ユニット６に搬送する。画像形成ユニット６では前記画像形成制御部４４の制御により、転送された画像情報をもとに記録媒体Ｐ１にトナー像を形成し、当該記録媒体Ｐ１を定着ユニット７に搬送する。定着制御部４５の制御により、定着ユニット７は媒体上のトナー像を記録媒体Ｐ１上に定着させる。その後、プリンタ制御部４１はプリンタ側ローラ制御部４３を制御し、記録媒体Ｐ１をプリンタ側排出ローラ１８及び１９により搬送する。更に、前記プリンタ側排出ローラ３８によりプリンタ側排出トレイ３９に排出して、コピー動作は完了する。
【００４０】
（４）次に、プリント時の印刷物確認の動作について説明する。通信部２がホストＰＣ３から、印刷後確認を行なう旨の指示が含まれた画像形成情報を受信すると、プリンタ部１０に前記画像形成情報を転送する。また、プリンタ制御部４１は、前記第１切替器制御部４８−１を制御して、画像形成された記録媒体Ｐ１が前記画像読取部８に向けて搬送されるように第１切替器３１を切替える。以下、プリンタ部１０は、前記プリント時の動作と同様にプリント動作を開始する。
【００４１】
即ち、プリンタ制御部４１は、プリンタ側ローラ制御部４３を制御し、記録媒体Ｐ１をプリンタ側給紙ローラ１３によって給紙カセット１２から繰出し、プリンタ側搬送ローラ１４及び１５によりプリンタ側搬送路１７を画像形成ユニット６に向けて搬送する。画像形成ユニット６では前記画像形成制御部４４の制御により、転送された画像情報をもとに記録媒体Ｐ１にトナー像を形成し、当該記録媒体Ｐ１を定着ユニット７に搬送する。定着制御部４５の制御により、定着ユニット７は媒体上のトナー像を記録媒体Ｐ１上に定着させる。その後、プリンタ制御部４１は記録媒体Ｐ１をプリンタ側排出ローラ１８及び１９によりプリンタ側搬送路１７に沿って搬送する。その後印刷済みの記録媒体Ｐ１はプリンタ側搬送路１７ａ上に配設された第１切替器３１を通過し、スキャナ側搬送路２７ａ、２７を経由して画像読取部８へ搬送される。
【００４２】
プリンタ制御部４１は、前記画像形成情報のうち印刷後確認を行なう旨の指示をスキャナ制御部４２に転送する。そして、スキャナ制御部４２は、スキャナ側ローラ制御部４６を制御しスキャナ側搬送ローラ２６を駆動し、記録媒体Ｐ１をスキャナ側搬送路２７を通して画像読取部８に搬送する。そして、スキャナ制御部４２は、画像読取制御部４７を制御して、画像読取部８により記録媒体Ｐ１に記録された印刷結果を読み取る。スキャナ制御部４２は、読取った画像情報を通信部２を介してホストＰＣ３に転送する。ホストＰＣ３は表示画面５１上に、読取った画像情報を表示する。
【００４３】
（５）次に、画像形成済みの印刷物の編集（即ち、所定のページの差し替え）を行なう場合の動作について説明する。その際使用者は、画像形成済みの編集用原稿Ｐ３を給紙トレイ２３にセットする。そして使用者は次の指定を行なう。即ち（ａ）編集用原稿Ｐ３の所定のページの前に挿入するページの指定、（ｂ）編集用原稿Ｐ３の所定のページを削除する指定、又は（ｃ）最終ページの後に追加するページの指定である。この指定をした印刷情報をホストＰＣ３から送信する。また、下記の動作においてスキャナ側排出トレイ２９への排出、及びプリンタ側排出トレイ３９への排出を行なう際は、第１切替部３１及び第２切替部３２が切替わる。
【００４４】
以下は第２の実施の形態に関するＭＦＰ１０１によって印刷物の差し替えを行なう時の動作である。また、前記プリンタ制御部４１及び前記スキャナ制御部４２の上位に図示しないＭＦＰ制御部を有し、ＭＦＰ制御部はプリンタ制御部４１及びスキャナ制御部４２の各部を直接又は間接に制御する。或いは図示しないＭＦＰ制御部の替わりに前記プリンタ制御部４１又は前記スキャナ制御部４２がこれらの制御を行なってもよい。まず、図示しないＭＦＰ制御部は編集用原稿Ｐ３のページカウントを初期化する。この時Ｎ＝１としＮは編集用原稿Ｐ３のページ数である（Ｓ１０１）。
【００４５】
ＭＦＰ制御部は前記指定（ａ）より、Ｎページの前に挿入するページがあるかどうかを判断し（Ｓ１０２）、ある場合はプリンタ制御部４１に指示して、挿入するページの画像形成を行なう。画像形成後の媒体Ｐ１をスキャナ側排出トレイ２９に排出する。当該スキャナ側排出トレイ２９が編集後の印刷物の正本用のトレイとなる。この時、画像読取部８において画像形成後の媒体Ｐ１を読取る（Ｓ１０３）。
【００４６】
次に、ＭＦＰ制御部は前記指定（ｂ）より、当該Ｎページ目の編集用原稿Ｐ３は差し替える（廃棄する）かどうかを判断する（Ｓ１０４）。差し替える場合は編集用原稿Ｐ３を給紙し、プリンタ側排出トレイ３９（廃棄用）に排出する（Ｓ１０５）。差し替えない場合は編集用原稿Ｐ３を給紙し、スキャナ側排出トレイ２９に排出する。このとき、画像読取部８において画像形成済みの編集用原稿Ｐ３を読取る（Ｓ１０６）。
【００４７】
次に、ＭＦＰ制御部は、当該Ｎページが最終ページに到達しているかどうかを判断し（Ｓ１０７）、到達していなければＮに１を加算し（Ｓ１０８）、前記ステップＳ１０２〜Ｓ１０８を繰り返す。ステップＳ１０７においてＮ＝最終ページであるならば、ＭＦＰ制御部は前記指定（ｃ）より、最終ページの後に追加するページがあるかどうかを判断する（Ｓ１０９）。ある場合はプリンタ部２０が挿入するページの画像形成を行ない、画像形成後の媒体Ｐ１をスキャナ側排出トレイ２９に排出する。この時、画像読取部８において画像形成後の媒体Ｐ１を読取る（Ｓ１１０）。
【００４８】
ＭＦＰ制御部は前記ステップＳ１０３、Ｓ１０６、Ｓ１１０で読取った画像情報を通信部２を介してホストＰＣ３に転送する（Ｓ１１１）。ホストＰＣ３では差し替え、挿入が完了したイメージを表示画面５１に表示する。画像形成物が複数部ある場合は、ステップ１０１〜１１１を当該回数繰り返す。
【００４９】
以上、第２の実施の形態によると、媒体の排出トレイを２個設ける構成にしたことにより、第１の実施の形態の効果に加え、プリンタのソーターとしての機能を実現できる。更に前記２個の排出トレイの一方を編集後の印刷物の正本用のトレイ、他方を廃棄用トレイとすることにより、印刷済み原稿の編集（挿入、差替）機能を実現できる。更に、挿入、差替が正しかったかどうかを、原稿そのものを調べることなくＰＣの表示画面５１によって確認することが可能となる。
【００５０】
本実施の形態ではＭＦＰを例にしたが、ＭＦＰ以外にも複写機、ファクシミリ装置等の画像形成装置にも適用できる。また、本実施の形態では排出トレイを２つ設ける構成で説明したが、それ以上の排出口を持つ構成にしてもよい。また、排出後の媒体を後処理する機構を取り付けてもよい。
【符号の説明】
【００５１】
Ｐ１    記録媒体
Ｐ２    原稿
Ｐ３    編集用原稿
６      画像形成ユニット
８      画像読取部
１０    プリンタ部
１２    給紙カセット
１７    プリンタ側搬送路
２０    スキャナ部
２７    スキャナ側搬送路
２９    スキャナ側排出トレイ
３１    第１切替器
３２    第２切替器
３９    プリンタ側排出トレイ
【図１】
2010243616.tif 000003
【図２】
2010243616.tif 000004
【図３】
2010243616.tif 000005
【図４】
2010243616.tif 000006
【図５】
2010243616.tif 000007
【図６】
2010243616.tif 000008
【図７】
2010243616.tif 000009